(57)【要約】【課題】原稿トレイに載置する原稿を扱い易くできる原稿読取装置等を提供する。【解決手段】原稿トレイ（２４０）に載置された原稿を自動搬送して画像を読み取る原稿読取装置（２００）において、原稿トレイ（２４０）に載置された原稿の読み取りを行なう場合に、第１の操作ボタン（１５１）による第１の指示に基づき、原稿トレイ移動部（２４１）により原稿トレイ（２４０）を移動する操作と、ピックアップローラ（２５３）により原稿を押える操作により原稿が載置された状態から原稿給紙可能状態に移行し、第２の操作ボタン（１５２）による第２の指示に基づき、原稿の読み取り処理を開始することを特徴とする。【選択図】図３
2019186893.tif 000002
【特許請求の範囲】
【請求項１】
原稿トレイに載置された原稿を自動搬送して画像を読み取る原稿読取装置において、
前記原稿トレイに載置された原稿の読み取りを行なう場合に、
第１の指示に基づき、前記原稿が載置された状態から原稿給紙可能状態に移行し、
第２の指示に基づき、前記原稿の読み取り処理を開始することを特徴とする原稿読取装置。
【請求項２】
前記原稿給紙可能状態に移行する手段は、少なくとも前記原稿トレイを移動する操作、または前記原稿を押える操作の何れかを含む操作を可能とすることを特徴とする請求項１に記載の原稿読取装置。
【請求項３】
前記原稿給紙可能状態に移行した後に、一定時間が経過すると、前記原稿給紙可能状態が解除されることを特徴とする請求項１または２に記載の原稿読取装置。
【請求項４】
全ての原稿が給紙された後、または全ての原稿が排出された後に、前記原稿給紙可能状態が解除されることを特徴とする請求項１から３のうち何れか一項に記載の原稿読取装置。
【請求項５】
全ての原稿が給紙され、全ての原稿が排出される前に、前記原稿給紙可能状態が解除されることを特徴とする請求項１から３のうち何れか一項に記載の原稿読取装置。
【請求項６】
全ての原稿が排出され、排出された原稿の全てが取り除かれた場合に、前記原稿給紙可能状態が解除されることを特徴とする請求項１から３のうち何れか一項に記載の原稿読取装置。
【請求項７】
前記排出された原稿が取り除かれていない状態で、前記原稿トレイ上に次の原稿が載置された場合に、前記原稿給紙可能状態が解除されることを特徴とする請求項６に記載の原稿読取装置。
【請求項８】
表示部を備え、
前記原稿トレイ上に先に載置された第１の原稿の画像データと、前記第１の原稿を排出した後に前記原稿トレイ上に次に載置された第２の原稿の画像データとを結合するか否かを通知するメッセージを前記表示部に表示することを特徴とする請求項７に記載の原稿読取装置。
【請求項９】
自動原稿給紙に関連する操作ボタンが押された場合に、原稿給紙可能状態に移行することを特徴とする１から８のうち何れか一項に記載の原稿読取装置。
【請求項１０】
原稿給紙可能状態に移行後、自動原稿給紙に関連する操作ボタン以外の操作ボタンが押された場合は、前記原稿給紙可能状態が解除されることを特徴とする請求項１から９のうち何れか一項に記載の原稿読取装置。
【請求項１１】
発光手段を備え、
前記発光手段は、前記原稿が載置された状態と、前記原稿給紙可能状態と、前記原稿が排紙された後との発光態様を異ならせることを特徴とする請求項１から１０のうち何れか一項に記載の原稿読取装置。
【請求項１２】
前記原稿トレイに原稿が載置された状態で、当該原稿読取装置を使用中のユーザが当該原稿読取装置から所定距離以上離れた場合は、前記原稿トレイ上の原稿を排紙することを特徴とする請求項１から１１のうち何れか一項に記載の原稿読取装置。
【請求項１３】
前記原稿トレイに原稿が載置された状態で、当該原稿読取装置を使用中のユーザが当該原稿読取装置から離れてから所定時間経過した場合は、前記原稿トレイ上の原稿を排紙することを特徴とする請求項１から１２のうち何れか一項に記載の原稿読取装置。
【請求項１４】
原稿給紙可能状態から原稿を取り除くと、原稿給紙可能状態が解除されることを特徴とする請求項１から８のうち何れか一項に記載の原稿読取装置。
【請求項１５】
原稿トレイに載置された原稿を自動搬送して画像を読み取る原稿読取方法において、
前記原稿トレイに載置された原稿の読み取りを行なう場合に、
第１の指示に基づき、前記原稿が載置された状態から原稿給紙可能状態に移行する工程と、
第２の指示に基づき、前記原稿の読み取り処理を開始する工程と、
を備えることを特徴とする原稿読取方法。
【請求項１６】
原稿トレイに載置された原稿を自動搬送して画像を読み取る原稿読取装置を動作させる制御プログラムであって、
コンピュータにより、
前記原稿トレイに載置された原稿の読み取りを行なう場合に、
第１の指示に基づき、前記原稿が載置された状態から原稿給紙可能状態に移行するように機能させ、
第２の指示に基づき、前記原稿の読み取り処理を開始するように機能させることを特徴とする制御プログラム。
【発明の詳細な説明】
【技術分野】
【０００１】
本発明は、原稿読取装置等に係り、特に、原稿を自動搬送して画像を読み取る原稿読取装置等に関する。
【背景技術】
【０００２】
従来、複写機等の画像形成装置は、通常、原稿読取装置によって読み取った原稿の画像データや別途端末機から入力された画像データに基づき出力画像を生成して出力するようにされている。
【０００３】
原稿読取装置では、複数の原稿が原稿トレイに載置可能に構成され、ＡＤＦ機構により原稿トレイから原稿を一枚ずつ自動搬送して読み取るようにされている。
【０００４】
ＡＤＦ機構を用いた原稿読取りを行なう場合は、通常、ＵＩのソフトキー（操作ボタン）や原稿読取装置に設けられたハードキー（操作ボタン）をタッチ操作することで、原稿給紙状態に移行するようにされている。
【０００５】
従来技術としては、例えば、画像読取装置において、原稿の読み取りを始めるとき、原稿トレイに原稿が載置されていると原稿検知手段が検知した場合は、原稿トレイを原稿が供給可能な第１のポジションに移動させ、待機状態においては、原稿トレイを原稿が供給されない第２のポジションに移動させるよう原稿トレイ移動手段に指示するようにしたものが堤案されている（特許文献１を参照）。
【先行技術文献】
【特許文献】
【０００６】
【特許文献１】特開平８−１０１４６０号公報
【発明の概要】
【発明が解決しようとする課題】
【０００７】
しかしながら、上述した従来技術では、原稿の置き間違いや原稿を再確認したい場合にも、原稿トレイに載置された原稿が給紙可能なポジションに移動されて、保持されているので、先に置いた原稿をセットし直したり再確認するために取り出したりすることがやり難いという問題があった。
【０００８】
本発明は、上記従来の課題に鑑みてなされたものであり、原稿トレイに載置する原稿を扱い易くできる原稿読取装置等を提供することを目的とする。
【課題を解決するための手段】
【０００９】
本発明は、原稿トレイに載置された原稿を自動搬送して画像を読み取る原稿読取装置において、前記原稿トレイに載置された原稿の読み取りを行なう場合に、第１の指示に基づき、前記原稿が載置された状態から原稿給紙可能状態に移行し、第２の指示に基づき、前記原稿の読み取り処理（原稿搬送）を開始することを特徴とするものである。
【００１０】
また、本発明は、原稿トレイに載置された原稿を自動搬送して画像を読み取る原稿読取方法において、前記原稿トレイに載置された原稿の読み取りを行なう場合に、第１の指示に基づき、前記原稿が載置された状態から原稿給紙可能状態に移行する工程と、第２の指示に基づき、前記原稿の読み取り処理を開始する工程と、を備えることを特徴とするものである。
【００１１】
また、本発明は、原稿トレイに載置された原稿を自動搬送して画像を読み取る原稿読取装置を動作させる制御プログラムであって、コンピュータにより、前記原稿トレイに載置された原稿の読み取りを行なう場合に、第１の指示に基づき、前記原稿が載置された状態から原稿給紙可能状態に移行するように機能させ、第２の指示に基づき、前記原稿の読み取り処理を開始するように機能させることを特徴とするものである。
【発明の効果】
【００１２】
本発明の原稿読取装置によれば、原稿トレイに載置された原稿を自動搬送して画像を読み取る原稿読取装置において、前記原稿トレイに載置された原稿の読み取りを行なう場合に、第１の指示に基づき、前記原稿が載置された状態から原稿給紙可能状態に移行し、第２の指示に基づき、前記原稿の読み取り処理を開始するようにしたので、原稿給紙可能状態に移行する第１の指示がされない限り、原稿トレイ上の原稿は載置されたままの状態であるため、原稿をセットし直したり再確認するために取り出したりすることを容易に行なうことができる。
【００１３】
また、本発明の原稿読取方法によれば、原稿トレイに載置された原稿を自動搬送して画像を読み取る原稿読取方法において、前記原稿トレイに載置された原稿の読み取りを行なう場合に、第１の指示に基づき、前記原稿が載置された状態から原稿給紙可能状態に移行する工程と、第２の指示に基づき、前記原稿の読み取り処理を開始する工程と、を備えることで、原稿給紙可能状態に移行する第１の指示がされない限り、原稿トレイ上の原稿は載置されたままの状態であるため、原稿をセットし直したり再確認するために取り出したりすることを容易に行なうことができる。
【００１４】
また、本発明の制御プログラムによれば、原稿トレイに載置された原稿を自動搬送して画像を読み取る原稿読取装置を動作させる制御プログラムにおいて、コンピュータにより、前記原稿トレイに載置された原稿の読み取りを行なう場合に、第１の指示に基づき、前記原稿が載置された状態から原稿給紙可能状態に移行するように機能させ、第２の指示に基づき、前記原稿の読み取り処理を開始するように機能させるようにしたので、原稿給紙可能状態に移行する第１の指示がされない限り、原稿トレイ上の原稿は載置されたままの状態であるため、原稿をセットし直したり再確認するために取り出したりすることを容易に行なうことができる。
【図面の簡単な説明】
【００１５】
【図１】第１実施形態に係る原稿読取装置を搭載した画像形成装置の全体の構成を示す説明図である。
【図２】前記原稿読取装置を構成する自動原稿処理装置の構成を断面で示す説明図である。
【図３】前記原稿読取装置の電気的構成を示すブロック図である。
【図４】前記原稿読取装置における原稿読取処理の工程の一例を示すフローチャートである。
【図５】第２実施形態に係る原稿読取装置における原稿読取処理の工程の一例を示すフローチャートの一部である。
【図６】図５のフローチャートに続く原稿読取処理のフローチャートである。
【図７】第３実施形態に係る原稿読取装置における原稿読取処理の工程の一例を示すフローチャートの一部である。
【図８】第４実施形態に係る原稿読取装置における原稿読取処理の工程の一例を示すフローチャートの一部である。
【図９】第５実施形態に係る原稿読取装置における原稿読取処理の工程の一例を示すフローチャートの一部である。
【図１０】第６実施形態に係る原稿読取装置における原稿読取処理の工程の一例を示すフローチャートの一部である。
【図１１】第７実施形態に係る原稿読取装置の電気的構成を示すブロック図である。
【図１２】前記原稿読取装置における原稿読取処理の工程の一例を示すフローチャートである。
【図１３】第８実施形態に係る原稿読取装置の電気的構成を示すブロック図である。
【図１４】前記原稿読取装置における原稿読取処理の工程の一例を示すフローチャートである。
【図１５】第９実施形態に係る原稿読取装置における原稿読取処理の工程の一例を示すフローチャートである。
【発明を実施するための形態】
【００１６】
（第１実施形態）
以下、本発明の第１実施形態について図面を参照して説明する。
図１は発明を実施する形態の一例であって、本発明の第１実施形態に係る原稿読取装置を搭載した画像形成装置の全体の構成を示す説明図、図２は前記原稿読取装置を構成する自動原稿処理装置の構成を断面で示す説明図である。
【００１７】
第１実施形態は、図１に示すように、読み取り原稿（以下、単に「原稿」と称する。）を自動搬送して画像を読み取る原稿読取装置２００が搭載され、読み取られた原稿に基づき画像出力を行うことができる画像形成装置１００おいて、原稿読取装置２００として、本発明に係る特徴的な原稿読取装置の構成を備えたものである。
【００１８】
この画像形成装置１００は、電子写真方式により記録用紙に画像を形成する。
そして、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える複合機である。
なお、この画像形成装置１００は、さらにネットワークプリンタモードを備えていても構わない。
【００１９】
原稿読取装置２００は、原稿の画像を読取るスキャナ部２１０と、原稿を自動搬送する自動原稿処理装置２２０とを備えて構成されている。
スキャナ部２１０は、画像形成装置１００本体の上部に設けられている。
自動原稿処理装置２２０は、スキャナ部２１０上部に対向して開閉自在に設けられ、スキャナ部２１０上に載置される原稿を押える原稿押え部としても機能するように構成されている。これにより、一枚ごとの原稿読取処理を行うことが可能となっている。
また、自動原稿処理装置２２０をスキャナ部２１０上部に搭載することで、複数枚の原稿の自動連続読取処理が可能となるとともに原稿の両面が同時に読み取ることができる。
【００２０】
（画像形成装置の構成）
まず、第１実施形態に係る画像形成装置１００の基本的な構成について説明する。
第１実施形態に係る画像形成装置１００は、図１に示すように、主に、スキャナ部２１０により読み取った画像データに基づき形成された画像を形成する画像形成部１０４、用紙を供給する給紙部１０６、画像データに基づき形成された画像を出力する画像出力手段１０７、排紙処理装置１０８、装置全体の制御を司る制御部（図示省略）、および、操作ユニット１２０を備える。
【００２１】
排紙処理装置１０８は、複数の記録用紙を各排紙トレイ１１０に仕分けして排出する処理、各記録用紙にパンチングする処理、および各記録用紙にステープルする処理を施す。
例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット（図示省略）によるパンチング処理またはステープルユニット（図示省略）によるステープル処理を施して印刷物を作成する。
【００２２】
操作ユニット１２０は、図１に示すように、主にタッチパネルディスプレイ（表示部）１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル１３４とで構成される。
【００２３】
このように画像形成装置１００は、主たる操作デバイスとしてタッチパネルディスプレイ１３０を備えるとともに、ハードウェアキーおよび表示灯により構成される表示操作部１４０を備える。
【００２４】
なお、画像形成装置１００は、このような構成の表示操作部１４０を備えるものに限定されず、タッチパネルディスプレイ１３０のみを備えるものであってもよい。
【００２５】
また、画像形成装置１００を操作するための操作ユニット１２０は、原稿読取装置２００の操作部としても機能するように構成されている。
【００２６】
（原稿読取装置の全体構成）
次に、第１実施形態の画像形成装置１００の原稿読取装置２００を構成する自動原稿処理装置２２０について図面を参照して詳細に説明する。
【００２７】
自動原稿処理装置２２０は、図２に示すように、主に、原稿トレイ２４０と、給紙部２５０と、排紙部２６０とを備えて構成されている。
【００２８】
原稿トレイ２４０には、原稿が載置される。
給紙部２５０は、主に、原稿搬送路２５１と、原稿読取り窓２５２と、ピックアップローラ２５３と、給紙ローラ２５５と、上搬送ローラ２５６と、読込み搬送ローラ２５７とを備えて構成されている。
排紙部２６０は、主に、下搬送ローラ２６１と、原稿排紙ローラ２６２と、排紙トレイ２６５と、を備えて構成されている。
【００２９】
具体的には、ピックアップローラ２５３は、原稿トレイ２４０上に載置された原稿を１枚ずつ給紙ローラ２５５に繰り出す。給紙ローラ２５５は、原稿を装置内に供給する。上搬送ローラ２５６は、装置内に供給された原稿を原稿搬送路２５１に搬送する。読込み搬送ローラ２５７は、所定のタイミングで原稿を原稿読取り窓２５２に搬送する。下搬送ローラ２６１は、原稿読取り窓２５２において読取られた原稿を排紙に向かい搬送する。原稿排紙ローラ２６２は、下搬送ローラ２６１に搬送された原稿を排紙トレイ２６５上に排紙する。
【００３０】
このように構成された自動原稿処理装置２２０は、原稿トレイ２４０にセットされた原稿を、給紙ローラ２５５によって原稿束の最上位から１枚ずつ取り出して装置内に搬送し、原稿搬送路２５１を経由して原稿をスキャナ部２１０の原稿読取り窓２５２に設けられたＳＰＦガラス（コンタクトガラス）上に導いて通過させた後に、排紙トレイ２６５上に排出するようにされている。
【００３１】
スキャナ部２１０では、原稿が原稿読取り窓２５２上を通過する際に、ＣＣＤ（図示省略）により原稿表面の画像を主走査方向に繰り返し読取り、原稿表面の画像を示す画像データを出力するようにされている。
【００３２】
一方、原稿がスキャナ部２１０上面のプラテンガラス（原稿載置台ガラス）２３０上に置かれた場合は、図示しない走査ユニットや光学系を相互に所定の速度関係を維持しつつ移動させ、走査ユニットによってプラテンガラス２３０上の原稿表面を露光し、走査ユニットや光学系によって原稿表面からの反射光を図示しない結像レンズへと導いて原稿表面の画像をＣＣＤ上に結像するようにされている。
【００３３】
原稿トレイ２４０の下側には、原稿排紙ローラ２６２、排紙トレイ２６５が構成されている。原稿排紙ローラ２６２は、上側排紙ローラ２６２ａ１と下側排紙ローラ２６２ａ２の一対のローラ部材により構成されている。
【００３４】
上側排紙ローラ２６２ａ１は、回転自在に軸支されている。下側排紙ローラ２６２ａ２は、図示しないモータにより正逆回転可能とされている。そして、上側排紙ローラ２６２ａ１は、下側排紙ローラ２６２ａ２の回転により従動回転するようになっている。
【００３５】
（原稿読取装置の特徴的な構成）
次に、第１実施形態の原稿読取装置２００の特徴的な構成について説明する。
図３は第１実施形態に係る原稿読取装置の電気的構成を示すブロック図である。
【００３６】
原稿読取装置２００は、図３に示すように、制御部２８０により、スキャナ部２１０の動作処理の制御と、自動原稿処理装置２２０の動作処理の制御とを行うように構成されている。
【００３７】
制御部２８０は、画像形成装置１００の運転を制御する制御部（図示省略）の一部を構成するものであってもよい。すなわち、画像形成装置１００の制御部により、原稿読取装置２００の運転を制御するようにしてもよい。
【００３８】
原稿トレイ２４０には、原稿トレイ移動部２４１が設けられている。
原稿トレイ移動部２４１は、原稿トレイ２４０に原稿が載置されたとき、原稿トレイ２４０を、原稿が載置された状態から原稿給紙可能状態に移動するように構成されている。
【００３９】
原稿が載置された状態では、原稿を移動したり、さらに原稿を増減させて載置可能な状態であって、原稿は保持されていない。
【００４０】
原稿給紙可能状態では、原稿トレイ２４０上に載置された原稿を給紙部２５０のピックアップローラ２５３により一時的に保持するとともに、原稿トレイ２４０が原稿を装置内に給紙可能な位置に配置された状態となっている。この状態では原稿の移動や抜き差しは容易にできないようにされている。
【００４１】
操作ユニット１２０のタッチパネルディスプレイ１３０には、ソフトキーとしてタッチ操作が可能な第１の操作ボタン１５１と第２の操作ボタン１５２が表示されている。
【００４２】
第１の操作ボタン１５１は、原稿トレイ２４０上の原稿を原稿給紙可能状態となるように指示する操作ボタンである。第１の操作ボタン１５１がタッチ操作されると、原稿トレイ２４０が原稿を装置内に供給可能な位置に配置されるように原稿トレイ移動部２４１を動作させるとともに、ピックアップローラ２５３により原稿を一時的に保持するようにピックアップローラ２５３を載置された原稿の端部を押圧するように動作させる。
【００４３】
第２の操作ボタン１５２は、原稿読取処理を開始する操作ボタンである。第２の操作ボタン１５２がタッチ操作されると、ピックアップローラ２５３が作動して原稿を１枚ずつ装置内に給紙して、原稿が搬送されることでスキャナ部２１０により自動的に原稿読取処理が実行される。
【００４４】
原稿読取が終了した原稿は、排紙部２６０の原稿排紙ローラ２６２により排紙トレイ２６５上に排紙される。
【００４５】
次に、第１実施形態の原稿読取装置２００における原稿読取処理についてフローチャートに沿って説明する。
図４は第１実施形態に係る原稿読取装置における原稿読取処理の工程の一例を示すフローチャートである。
【００４６】
第１実施形態において、原稿読取装置２００により原稿読取処理が開始されると、図４に示すように、まず、在籍サンサ等により原稿トレイ２４０上の原稿が検知され（ステップＳ１０１）、原稿が載置されているか否かが判定される（ステップＳ１０３）。
【００４７】
ステップＳ１０３において、原稿が載置されていると判定された場合は、原稿を給紙可能な状態に移行するように指示する第１の指示が行なわれたか否かが判定される（ステップＳ１０５）。
【００４８】
第１の指示が行なわれたと判定された場合は、原稿給紙可能状態にするために、原稿トレイ２４０を原稿給紙可能な位置に移動し（ステップＳ１０７）、ピックアップローラ２５３を、原稿を一時的に保持するように原稿を上方より押圧するように配置する（ステップＳ１０９）。
【００４９】
そして、原稿トレイ２４０上の原稿が原稿給紙可能状態のまま一定時間（予め設定された所定時間）が経過したか否かが判定される（ステップＳ１１１）。
【００５０】
ステップＳ１１１において、原稿給紙可能状態のまま一定時間が経過したと判定された場合は、原稿給紙可能状態を解除して（ステップＳ１１３）、ステップＳ１０１に戻る。
なお、ステップＳ１１３において原稿給紙可能状態を解除した後に、原稿読取処理を中止するようにしてもよい。
【００５１】
一方、ステップＳ１１１において、原稿給紙可能状態のまま一定時間が経過していないと判定されている状態のときは、原稿読取処理を実行する第２の指示が行なわれたか否かが判定される（ステップＳ１１５）。
【００５２】
ステップＳ１１５において、第２の指示が行なわれていないと判定された場合は、ステップＳ１１１に戻る。
【００５３】
一方、ステップＳ１１５において、第２の指示が行なわれたと判定された場合は、原稿読取処理が実行される（ステップＳ１１７）。
以上のようにして、原稿読取装置２００による原稿読取処理が行なわれる。
【００５４】
以上のように構成したので、第１実施形態によれば、原稿読取装置２００において、原稿トレイ２４０に載置された原稿の読み取りを行なう場合に、第１の指示に基づき、原稿トレイ２４０に原稿が載置された状態から原稿給紙可能状態に移行し、第２の指示に基づき、原稿給紙可能状態から原稿の読み取り処理を開始するようにしたので、原稿給紙可能状態に移行する第１の指示がされない限り、原稿トレイ２４０上の原稿は載置されたままの状態であるため、原稿をセットし直したり再確認するために取り出したりすることを容易に行なうことができる。
【００５５】
また、第１実施形態では、原稿トレイ２４０上の原稿が原稿給紙可能状態で一定時間経過したときに、原稿給紙可能状態を解除するようにしたので、一旦、原稿を読取る操作を中止したりするときに、原稿を取り除く操作を容易に行なうことができる。
【００５６】
また、原稿トレイ２４０上の原稿の原稿給紙可能状態を解除する操作は、上記のタイムアウトによる処理に以外にも、例えば、原稿給紙可能状態に移行後、第１の操作ボタン１５１、第２の操作ボタン１５２等の自動原稿給紙に関連する操作ボタン以外の操作ボタン（ジョブリスト、管理者設定ボタンなど）が押された場合に、原稿給紙可能状態が解除されるようにしてもよい。
【００５７】
（第２実施形態）
次に、第２実施形態について説明する。
第２実施形態は、原稿読取装置２００において、原稿読取処理を行なうときに、全ての原稿が給紙された後（ピックアップローラ２５３を通過した後）、または全ての原稿が排出された後（原稿排紙ローラ２６２を通過した後）に、原稿給紙可能状態を解除するようにしたことを特徴とするものである。
【００５８】
以下に、原稿読取装置２００における原稿読取処理についてフローチャートに沿って説明する。
図５は第２実施形態に係る原稿読取装置における原稿読取処理の工程の一例を示すフローチャートの一部、図６は図５のフローチャートに続く原稿読取処理のフローチャートである。
【００５９】
なお、第２実施形態に係る原稿読取装置の構成は、第１実施形態の原稿読取装置の構成と同様な構成を有するものであるため省略する。
【００６０】
第２実施形態において、原稿読取装置２００により原稿読取処理が開始されると、図５に示すように、まず、在籍サンサ等により原稿トレイ２４０上の原稿が検知され（ステップＳ２０１）、原稿が載置されているか否かが判定される（ステップＳ２０３）。
【００６１】
ステップＳ２０３において、原稿が載置されていると判定された場合は、原稿を給紙可能な状態に移行するように指示する第１の指示が行なわれたか否かが判定される（ステップＳ２０５）。
【００６２】
第１の指示が行なわれたと判定された場合は、原稿給紙可能状態にするために、原稿トレイ２４０を原稿給紙可能な位置に移動し（ステップＳ２０７）、ピックアップローラ２５３を、原稿を一時的に保持するように原稿を上方より押圧するように配置する（ステップＳ２０９）。
【００６３】
そして、原稿トレイ２４０上の原稿が原稿給紙可能状態のまま一定時間（予め設定された所定時間）が経過したか否かが判定される（ステップＳ２１１）。
【００６４】
ステップＳ２１１において、原稿給紙可能状態のまま一定時間が経過したと判定された場合は、原稿給紙可能状態を解除して（ステップＳ２１３）、ステップＳ２０１に戻る。
なお、ステップＳ２１３において原稿給紙可能状態を解除した後に、原稿読取処理を中止するようにしてもよい。
【００６５】
一方、ステップＳ２１１において、原稿給紙可能状態のまま一定時間が経過していないと判定されている状態のときは、原稿読取処理を実行する第２の指示が行なわれたか否かが判定される（ステップＳ２１５）。
【００６６】
ステップＳ２１５において、第２の指示が行なわれていないと判定された場合は、ステップＳ２１１に戻る。
【００６７】
一方、ステップＳ２１５において、第２の指示が行なわれたと判定された場合は、図６に示すように、原稿読取処理が実行される（ステップＳ２１７）。そして、次の原稿が有るか否かが判定される（ステップＳ２１９）。
【００６８】
ステップＳ２１９において、次の原稿が有ると判定された場合は、ステップＳ２１７に戻り、原稿読取処理が繰り返して実行される。
【００６９】
一方、ステップＳ２１９において、次の原稿が無いと判定された場合は、全ての原稿の排紙が完了したか否かが判定される（ステップＳ２２１）。
【００７０】
ステップＳ２２１において、全ての原稿の排紙が完了したと判定された場合は、原稿給紙可能状態が解除されて（ステップＳ２２３）、原稿読取処理が終了する。
以上のようにして、原稿読取装置２００による原稿読取処理が行なわれる。
【００７１】
以上のように構成したので、第２実施形態によれば、原稿読取装置２００において、原稿トレイ２４０に載置された原稿の読み取りを行なう場合に、全ての原稿が給紙された後、または全ての原稿が排出された後に、原稿給紙可能状態を解除するようにしたので、原稿読取処理中は原稿がずれることなく安定して原稿の給紙を行なうことができる。また、原稿読取処理開始後に当初の原稿に対して増減したりする作業を防止することができる。
【００７２】
（第３実施形態）
次に、第３実施形態について説明する。
第３実施形態は、原稿読取装置において、原稿読取処理が実行されて、全ての原稿が給紙されて、原稿読取処理が終了したとき、全ての原稿が排出される前に、原稿トレイと給紙部における原稿給紙可能状態を解除するようにしたことを特徴とするものである。
【００７３】
図７は第３実施形態に係る原稿読取装置における原稿読取処理の工程の一例を示すフローチャートの一部である。
なお、第３実施形態に係る原稿読取装置の構成は、第２実施形態の原稿読取装置の構成と同様な構成を有するものであるため説明を省略する。
【００７４】
また、第３実施形態における原稿読取装置２００による原稿読取処理の工程は、原稿読取処理を実行する第２の指示が行なわれるまでの処理が第２実施形態と同様に行なわれるため、第２実施形態の図５のフローチャートを参照するものとする。よって、第３実施形態では、原稿読取処理を実行する第２の指示が行なわれた以降の処理工程について説明する。
【００７５】
第３実施形態では、原稿読取装置２００において、図５に示すフローチャートに沿って原稿給紙可能状態にいたる処理が行なわれ、第２の指示が行なわれたと判定された場合は、図７に示すように、原稿読取処理が実行され（ステップＳ３１７）、次の原稿が有るか否かが判定される（ステップＳ３１９）。
【００７６】
ステップＳ３１９において、次の原稿が有ると判定された場合は、ステップＳ３１７に戻り、原稿読取処理が繰り返して実行される。
【００７７】
一方、ステップＳ３１９において、次の原稿が無いと判定された場合は、原稿給紙可能状態が解除される（ステップＳ３２１）。そして、全ての原稿の排紙が完了したか否かが判定される（ステップＳ３２３）。
【００７８】
ステップＳ３２１において、全ての原稿の排紙が完了したと判定された場合は、原稿読取処理が終了する。
以上のようにして、原稿読取装置２００による原稿読取処理が行なわれる。
【００７９】
以上のように構成したので、第３実施形態によれば、原稿読取装置２００において、原稿トレイ２４０に載置された原稿の読み取りを行なう場合に、全ての原稿が給紙され、全ての原稿が排出される前に、前記原稿給紙可能状態を解除するようにしたので、読取る原稿を追加したい場合に、原稿トレイ２４０上に容易に原稿をセットすることができる。
【００８０】
（第４実施形態）
次に、第４実施形態について説明する。
第４実施形態は、原稿読取装置において、原稿読取処理が実行されて、原稿の読取りが終了して、排出された原稿の全てが取り除かれた場合に、原稿トレイと給紙部における原稿給紙可能状態を解除するようにしたことを特徴とするものである。
【００８１】
図８は第４実施形態に係る原稿読取装置における原稿読取処理の工程の一例を示すフローチャートの一部である。
なお、第４実施形態に係る原稿読取装置の構成は、第２実施形態の原稿読取装置の構成と同様な構成を有するものであるため説明を省略する。
【００８２】
また、第４実施形態における原稿読取装置２００による原稿読取処理の工程は、原稿読取処理を実行する第２の指示が行なわれるまでの処理が第２実施形態と同様に行なわれるため、第２実施形態の図５のフローチャートを参照するものとする。よって、第４実施形態では、原稿読取処理を実行する第２の指示が行なわれた以降の処理工程について説明する。
【００８３】
第４実施形態では、原稿読取装置２００において、図５に示すフローチャートに沿って原稿給紙可能状態にいたる処理が行なわれ、第２の指示が行なわれたと判定された場合は、図８に示すように、原稿読取処理が実行され（ステップＳ４１７）、次の原稿が有るか否かが判定される（ステップＳ４１９）。
【００８４】
ステップＳ４１９において、次の原稿が有ると判定された場合は、ステップＳ４１７に戻り、原稿読取処理が繰り返して実行される。
【００８５】
一方、ステップＳ４１９において、次の原稿が無いと判定された場合は、原稿の排出が終了したか否かが判定される（ステップＳ４２１）。
【００８６】
ステップＳ４２１において、原稿の排出が終了したと判定された場合は、次に、排出された原稿が取り除かれたか否かが判定される（ステップＳ４２３）。
【００８７】
ステップＳ４２３において、排出された原稿が取り除かれたと判定された場合は、原稿給紙可能状態が解除されて（ステップＳ４２５）、原稿読取処理が終了する。
以上のようにして、原稿読取装置２００による原稿読取処理が行なわれる。
【００８８】
以上のように構成したので、第４実施形態によれば、原稿読取装置２００において、原稿トレイ２４０に載置された原稿の読み取りを行なう場合に、排出された原稿の全てが取り除かれた場合に、原稿トレイと給紙部における原稿給紙可能状態を解除するようにしたことで、次に読取る原稿を原稿トレイ２４０上に容易にセットする場合に、原稿を容易にセットすることができる。
【００８９】
（第５実施形態）
次に、第５実施形態について説明する。
第５実施形態は、原稿読取装置において、原稿読取処理が実行されて、原稿の読取りが終了して、排出された原稿の全てが取り除かれていない状態で、原稿トレイ２４０上に次の原稿が載置された場合に、原稿給紙可能状態が解除されることを特徴とするものである。
【００９０】
図９は第５実施形態に係る原稿読取装置における原稿読取処理の工程の一例を示すフローチャートの一部である。
なお、第５実施形態に係る原稿読取装置の構成は、第２実施形態の原稿読取装置の構成と同様な構成を有するものであるため説明を省略する。
【００９１】
また、第５実施形態における原稿読取装置２００による原稿読取処理の工程は、原稿読取処理を実行する第２の指示が行なわれるまでの処理が第２実施形態と同様に行なわれるため、第２実施形態の図５のフローチャートを参照するものとする。よって、第４実施形態では、原稿読取処理を実行する第２の指示が行なわれた以降の処理工程について説明する。
【００９２】
第５実施形態では、原稿読取装置２００において、図５に示すフローチャートに沿って原稿給紙可能状態にいたる処理が行なわれ、第２の指示が行なわれたと判定された場合は、図９に示すように、原稿読取処理が実行され（ステップＳ５１７）、次の原稿が有るか否かが判定される（ステップＳ５１９）。
【００９３】
ステップＳ５１９において、次の原稿が有ると判定された場合は、ステップＳ５１７に戻り、原稿読取処理が繰り返して実行される。
【００９４】
一方、ステップＳ５１９において、次の原稿が無いと判定された場合は、原稿の排出が終了したか否かが判定される（ステップＳ５２１）。
【００９５】
ステップＳ５２１において、原稿の排出が終了したと判定された場合は、次に、排出された原稿が取り除かれたか否かが判定される（ステップＳ５２３）。
【００９６】
ステップＳ５２３において、排出された原稿が取り除かれたと判定された場合は、原稿給紙可能状態が解除されて（ステップＳ５２５）、原稿読取処理が終了する。
【００９７】
一方、ステップＳ５２３において、排出された原稿が取り除かれていないと判定された場合は、原稿トレイ２４０上に次に読込まれる原稿が配置されたか否かが判定される（ステップＳ５２５）。
【００９８】
ステップＳ５２５において、原稿トレイ２４０上に次に読込まれる原稿が配置されたと判定された場合は、原稿給紙可能状態が解除されて（ステップＳ５２７）、原稿読取処理が終了する。
以上のようにして、原稿読取装置２００による原稿読取処理が行なわれる。
【００９９】
以上のように構成したので、第５実施形態によれば、原稿読取装置２００において、原稿読取処理が実行されて、原稿の読取りが終了したとき、排出された原稿の全てが取り除かれていない状態で、原稿トレイ２４０上に次の原稿が載置された場合に、原稿給紙可能状態を解除するようにしたことで、次に読取る原稿を原稿トレイ２４０上に容易にセットすることができる。
【０１００】
（第６実施形態）
次に、第６実施形態について説明する。
第６実施形態は、原稿読取装置において、原稿の読取りが終了して、排出された原稿の全てが取り除かれていない状態で、原稿トレイ２４０上に次の原稿が載置された場合に、原稿給紙可能状態を解除し、さらに、原稿トレイ２４０上に先に載置された第１の原稿の画像データと、第１の原稿を排出した後に原稿トレイ２４０上に次に載置された第２の原稿の画像データとを結合するか否かを通知するメッセージを原稿読取装置の表示部に表示することを特徴とするものである。
【０１０１】
図１０は第６実施形態に係る原稿読取装置における原稿読取処理の工程の一例を示すフローチャートの一部である。
なお、第６実施形態に係る原稿読取装置の構成は、第２実施形態の原稿読取装置の構成と同様な構成を有するものであるため説明を省略する。
【０１０２】
また、第６実施形態における原稿読取装置２００による原稿読取処理の工程は、原稿読取処理を実行する第２の指示が行なわれるまでの処理が第２実施形態と同様に行なわれるため、第２実施形態の図５のフローチャートを参照するものとする。よって、第４実施形態では、原稿読取処理を実行する第２の指示が行なわれた以降の処理工程について説明する。
【０１０３】
第６実施形態では、原稿読取装置２００において、図５に示すフローチャートに沿って原稿給紙可能状態にいたる処理が行なわれ、第２の指示が行なわれたと判定された場合は、図１０に示すように、原稿読取処理が実行され（ステップＳ６１７）、次の原稿が有るか否かが判定される（ステップＳ６１９）。
【０１０４】
ステップＳ６１９において、次の原稿が有ると判定された場合は、ステップＳ６１７に戻り、原稿読取処理が繰り返して実行される。
【０１０５】
一方、ステップＳ６１９において、次の原稿が無いと判定された場合は、原稿の排出が終了したか否かが判定される（ステップＳ６２１）。
【０１０６】
ステップＳ６２１において、原稿の排出が終了したと判定された場合は、次に、排出された原稿が取り除かれたか否かが判定される（ステップＳ６２３）。
【０１０７】
ステップＳ６２３において、排出された原稿が取り除かれたと判定された場合は、原稿給紙可能状態が解除される（ステップＳ６２７）。
【０１０８】
一方、ステップＳ６２３において、排出された原稿が取り除かれていないと判定された場合は、原稿トレイ２４０上に次に読込まれる原稿が配置されたか否かが判定される（ステップＳ６２５）。
【０１０９】
ステップＳ６２５において、原稿トレイ２４０上に次に読込まれる原稿が配置されたと判定された場合は、原稿給紙可能状態が解除される（ステップＳ６２７）。
【０１１０】
ステップＳ６２７において、原稿給紙可能状態が解除されると、ステップＳ６２９において、タッチパネルディスプレイ１３０の表示画面に、原稿トレイ２４０上に先に載置された第１の原稿の画像データと、第１の原稿を排出した後に原稿トレイ２４０上に次に載置された第２の原稿の画像データとを結合するか否かを通知するメッセージを表示する。
以上のようにして、原稿読取装置２００による原稿読取処理が行なわれる。
【０１１１】
以上のように構成したので、第６実施形態によれば、原稿読取装置２００において、原稿読取処理が実行されて、原稿の読取りが終了したとき、排出された原稿の全てが取り除かれていない状態で、原稿トレイ２４０上に次の原稿が載置された場合に、原稿給紙可能状態を解除して、さらに、タッチパネルディスプレイ１３０の表示画面に、原稿トレイ２４０上に先に載置された第１の原稿の画像データと、第１の原稿を排出した後に原稿トレイ２４０上に次に載置された第２の原稿の画像データとを結合するか否かを通知するメッセージを表示するようにしたことで、次に読取る原稿を原稿トレイ２４０上に容易にセットすることができるとともに、先に載置された第１の原稿の画像データと、次に載置された第２の原稿の画像データとを、図示しない記憶部に１つのファイルに結合して記憶したり、それぞれの原稿の画像データを別々のファイルに記憶したりすることができる。
【０１１２】
（第７実施形態）
次に、第７実施形態について説明する。
第７実施形態は、第２実施形態の原稿読取装置２００の構成に加えて、発光部（発光手段）を備えて、原稿が載置された状態と、原稿給紙可能状態と、原稿が排紙された後との発光態様を異ならせることを特徴とするものである。
【０１１３】
図１１は第７実施形態に係る原稿読取装置の電気的構成を示すブロック図である。
なお、第７実施形態に係る原稿読取装置の構成は、第２実施形態の原稿読取装置の構成と同様な構成を有するものであるため、同一のものには同一の符号を付することで説明を省略する。
【０１１４】
第７実施形態の原稿読取装置７００は、図１１に示すように、第２実施形態の原稿読取装置２００の構成に加えて、発光部７７０を備えて、制御部７８０により、原稿が載置された状態と、原稿給紙可能状態と、原稿が排紙された後との発光態様（色や点滅等による態様）を異ならせるように制御されている。
【０１１５】
発光部７７０は、ＬＥＤを点滅させることで原稿読取処理における原稿の状態をユーザに報知するものであって、ＬＥＤの色を変化させたり、点滅状態を変化させたりすることで、原稿が載置された状態、原稿給紙可能状態、原稿が排紙された後の状態に応じて発光態様を変化させるように制御される。
【０１１６】
次に、原稿読取装置７００における原稿読取処理についてフローチャートに沿って説明する。
図１２は第７実施形態に係る原稿読取装置における原稿読取処理の工程の一例を示すフローチャートである。
【０１１７】
第７実施形態において、原稿読取装置７００により原稿読取処理が開始されると、図１２に示すように、まず、在籍サンサ等により原稿トレイ２４０上の原稿が検知され（ステップＳ７０１）、原稿が載置されているか否かが判定される（ステップＳ７０３）。
【０１１８】
ステップＳ７０３において、原稿が載置されていると判定された場合は、発光部７７０のＬＥＤを、例えば、短い周期で点滅させることで、原稿トレイ２４０上に原稿が載置された状態であることが報知される（ステップＳ７０４）。
【０１１９】
そして、原稿を給紙可能な状態に移行するように指示する第１の指示が行なわれたか否かが判定される（ステップＳ７０５）。
【０１２０】
第１の指示が行なわれたと判定された場合は、原稿給紙可能状態にするために、原稿トレイ２４０を原稿給紙可能な位置に移動し（ステップＳ７０７）、ピックアップローラ２５３を、原稿を一時的に保持するように原稿を上方より押圧するように配置する（ステップＳ７０９）。
【０１２１】
そして、発光部７７０のＬＥＤを、先程よりも長い周期で点滅させることで、原稿が原稿給紙可能状態であることが報知される（ステップＳ７１０）。
【０１２２】
そして、原稿トレイ２４０上の原稿が原稿給紙可能状態のまま一定時間（予め設定された所定時間）が経過したか否かが判定される（ステップＳ７１１）。
【０１２３】
ステップＳ７１１において、原稿給紙可能状態のまま一定時間が経過したと判定された場合は、原稿給紙可能状態を解除して（ステップＳ７１３）、ステップＳ７０１に戻る。
なお、ステップＳ７１３において原稿給紙可能状態を解除した後に、原稿読取処理を中止するようにしてもよい。
【０１２４】
一方、ステップＳ７１１において、原稿給紙可能状態のまま一定時間が経過していないと判定されている状態のときは、原稿読取処理を実行する第２の指示が行なわれたか否かが判定される（ステップＳ７１５）。
【０１２５】
ステップＳ７１５において、第２の指示が行なわれていないと判定された場合は、ステップＳ７１１に戻る。
【０１２６】
一方、ステップＳ７１５において、第２の指示が行なわれたと判定された場合は、原稿読取処理が実行される（ステップＳ７１７）。そして、次の原稿が有るか否かが判定される（ステップＳ７１９）。
【０１２７】
ステップＳ７１９において、次の原稿が有ると判定された場合は、ステップＳ７１７に戻る。
【０１２８】
一方、ステップＳ７１９において、次の原稿が無いと判定された場合は、全ての原稿の排紙が完了したか否かが判定される（ステップＳ７２１）。
【０１２９】
ステップＳ７２１において、全ての原稿の排紙が完了したと判定された場合は、原稿給紙可能状態が解除される（ステップＳ７２３）。
【０１３０】
そして、発光部７７０のＬＥＤを、さらに長い周期で点滅させることで、原稿給紙可能状態が解除された状態であることが報知される（ステップＳ７２５）。そして、原稿読取処理が終了する。
以上のようにして、原稿読取装置７００による原稿読取処理が行なわれる。
【０１３１】
全ての原稿の排紙が完了したと判定された場合は、原稿給紙可能状態が解除されて（ステップＳ７２３）、原稿読取処理が終了する。
以上のようにして、原稿読取装置７００による原稿読取処理が行なわれる。
【０１３２】
以上のように構成したので、第７実施形態によれば、原稿読取装置７００において、さらに、発光部７７０を備えて、原稿が載置された状態と、原稿給紙可能状態と、原稿が排紙された後とで、ＬＥＤによる発光態様を異ならせることで、原稿がどのような状態であるかをユーザに視覚的に報知することができる。
【０１３３】
なお、第７実施形態では、発光部７７０によるＬＥＤの点滅周期を原稿の状態に応じて変える発光態様を変化させるようにしているが、例えば、原稿の状態に応じてＬＥＤの色を変化させるようにしてもよい。
【０１３４】
（第８実施形態）
次に、第８実施形態について説明する。
第８実施形態は、第１実施形態の原稿読取装置２００の構成に加えて、人感センサを備えて、当該原稿読取装置を使用中のユーザが当該原稿読取装置から所定距離以上離れた場合は、原稿トレイ２４０上の原稿を排紙するようにすることを特徴とするものである。
【０１３５】
図１３は第８実施形態に係る原稿読取装置の電気的構成を示すブロック図である。
なお、第８実施形態に係る原稿読取装置の構成は、第１実施形態の原稿読取装置の構成と同様な構成を有するものであるため、同一のものには同一の符号を付することで説明を省略する。
【０１３６】
第８実施形態の原稿読取装置８００は、図１３に示すように、第１実施形態の原稿読取装置２００の構成に加えて、人感センサ８９０を備えて、制御部８８０により、原稿トレイ２４０に原稿が載置された状態で、当該原稿読取装置８００を使用中のユーザが当該原稿読取装置８００から所定距離以上離れた場合は、原稿トレイ２４０上の原稿を排紙するように制御されている。
【０１３７】
人感センサ８９０は、原稿読取装置８００（または、画像形成装置）を使用中のユーザが原稿読取装置８００から設定された距離（閾値）以上離れた場合に、原稿読取装置８００から離れたことを検出するように設定されている。
【０１３８】
次に、原稿読取装置８００における原稿読取処理についてフローチャートに沿って説明する。
図１４は第８実施形態に係る原稿読取装置における原稿読取処理の工程の一例を示すフローチャートである。
【０１３９】
第８実施形態において、原稿読取装置８００により原稿読取処理が開始されると、図１４に示すように、まず、在籍サンサ等により原稿トレイ２４０上の原稿が検知され（ステップＳ８０１）、原稿が載置されているか否かが判定される（ステップＳ８０３）。
【０１４０】
ステップＳ８０３において、原稿が載置されていると判定された場合は、ユーザが原稿読取装置８００から所定距離以上離れたか否かが判定される（ステップＳ８０５）。
【０１４１】
ステップＳ８０５において、ユーザが原稿読取装置８００から所定距離以上離れたと判定された場合は、原稿を原稿トレイ２４０上から排紙トレイ２６５に排紙して（ステップＳ８０７）、ステップＳ８０１に戻る。
【０１４２】
一方、ステップＳ８０５において、ユーザが原稿読取装置８００から所定距離以上離れていないと判定された場合は、原稿を給紙可能な状態に移行するように指示する第１の指示が行なわれたか否かが判定される（ステップＳ８０９）。
【０１４３】
第１の指示が行なわれたと判定された場合は、原稿給紙可能状態にするために、原稿トレイ２４０を原稿給紙可能な位置に移動し（ステップＳ８１１）、ピックアップローラ２５３を、原稿を一時的に保持するように原稿を上方より押圧するように配置する（ステップＳ８１３）。
【０１４４】
そして、原稿読取処理を実行する第２の指示が行なわれたか否かが判定される（ステップＳ８１５）。
【０１４５】
ステップＳ８１５において、第２の指示が行なわれたと判定された場合は、原稿読取処理が実行される（ステップＳ８１７）。
以上のようにして、原稿読取装置８００による原稿読取処理が行なわれる。
【０１４６】
以上のように構成したので、第８実施形態によれば、原稿読取装置８００において、さらに、人感センサ８９０を備えて、原稿トレイ２４０に原稿が載置された状態で、当該原稿読取装置８００を使用中のユーザが当該原稿読取装置８００から所定距離以上離れた場合に、原稿トレイ２４０上の原稿を排紙するようにしたので、使用者不在の原稿を原稿トレイ２４０上に放置することを防止して原稿の紛失や情報の漏洩を防止することができる。
【０１４７】
また、第８実施形態では、人感センサ８９０により、原稿トレイ２４０に原稿が載置された状態のときにユーザが離れた状態を検出して、原稿を排紙するようにしているが、例えば、原稿が原稿給紙可能状態のときに、ユーザが離れた状態を検出して、原稿を排紙するようにしてもよい。このように構成することで、原稿給紙可能状態においても使用者不在の原稿を原稿トレイ２４０上に放置することを防止して原稿の紛失や情報の漏洩を防止することができる。
【０１４８】
（第９実施形態）
次に、第９実施形態について説明する。
第９実施形態は、第８実施形態の原稿読取装置８００において、当該原稿読取装置を使用中のユーザが当該原稿読取装置から所定距離以上離れた状態に加えて、さらに、ユーザが当該原稿読取装置から離れてから所定時間経過した場合に、原稿トレイ２４０上の原稿を排紙するようにすることを特徴とするものである。
【０１４９】
なお、第９実施形態に係る原稿読取装置の構成は、第８実施形態の原稿読取装置の構成と同様な構成を有するものであるため、説明を省略する。
【０１５０】
第９実施形態の原稿読取装置９００は、図１３に示すように、人感センサ８９０を備えて、制御部９８０により、原稿トレイ２４０に原稿が載置された状態で、当該原稿読取装置９００を使用中のユーザが当該原稿読取装置９００から所定距離以上離れた状態に加えて、さらに、ユーザが当該原稿読取装置９００から離れてから所定時間経過した場合は、原稿トレイ２４０上の原稿を排紙するように制御されている。
【０１５１】
次に、原稿読取装置９００における原稿読取処理についてフローチャートに沿って説明する。
図１５は第９実施形態に係る原稿読取装置における原稿読取処理の工程の一例を示すフローチャートである。
【０１５２】
第９実施形態において、原稿読取装置９００により原稿読取処理が開始されると、図１５に示すように、まず、在籍サンサ等により原稿トレイ２４０上の原稿が検知され（ステップＳ９０１）、原稿が載置されているか否かが判定される（ステップＳ９０３）。
【０１５３】
ステップＳ９０３において、原稿が載置されていると判定された場合は、ユーザが原稿読取装置９００から所定距離以上離れたか否かが判定される（ステップＳ９０４）。
【０１５４】
ステップＳ９０４において、ユーザが原稿読取装置９００から所定距離以上離れたと判定された場合は、さらに、ユーザが離れてから所定時間が経過したか否かが判定される（ステップＳ９０５）。
【０１５５】
ステップＳ９０５において、ユーザが離れてから所定時間が経過したと判定された場合は、原稿を原稿トレイ２４０上から排紙トレイ２６５に排紙して（ステップＳ９０７）、ステップＳ９０１に戻る。
【０１５６】
一方、ステップＳ９０４において、ユーザが原稿読取装置９００から所定距離以上離れていないと判定された場合は、原稿を給紙可能な状態に移行するように指示する第１の指示が行なわれたか否かが判定される（ステップＳ９０９）。
【０１５７】
また、ステップＳ９０５において、ユーザが離れてから所定時間が経過していないと判定された場合は、ステップＳ９０９に進む。
【０１５８】
ステップＳ９０９において、第１の指示が行なわれていないと判定された場合は、ステップＳ９０４に戻る。
【０１５９】
一方、ステップＳ９０９において、第１の指示が行なわれたと判定された場合は、原稿給紙可能状態にするために、原稿トレイ２４０を原稿給紙可能な位置に移動し（ステップＳ９１１）、ピックアップローラ２５３を、原稿を一時的に保持するように原稿を上方より押圧するように配置する（ステップＳ９１３）。
【０１６０】
そして、原稿読取処理を実行する第２の指示が行なわれたか否かが判定される（ステップＳ９１５）。
【０１６１】
ステップＳ９１５において、第２の指示が行なわれたと判定された場合は、原稿読取処理が実行される（ステップＳ９１７）。
以上のようにして、原稿読取装置９００による原稿読取処理が行なわれる。
【０１６２】
以上のように構成したので、第９実施形態によれば、原稿読取装置９００において、さらに、人感センサ８９０を備えて、原稿トレイ２４０に原稿が載置された状態で、当該原稿読取装置９００を使用中のユーザが当該原稿読取装置９００から所定距離以上離れた状態に加えて、さらに、ユーザが当該原稿読取装置から離れてから所定時間経過した場合に、原稿トレイ２４０上の原稿を排紙するようにしたので、原稿を排紙する条件を設定でき、さらに、使用者不在の原稿を原稿トレイ２４０上に放置することを防止して原稿の紛失や情報の漏洩を防止することができる。
【０１６３】
また、第９実施形態では、人感センサ８９０により、原稿トレイ２４０に原稿が載置された状態のときにユーザが離れた状態を検出するとともに、ユーザが当該原稿読取装置から離れてから所定時間経過した場合に、原稿を排紙するようにしているが、例えば、原稿が原稿給紙可能状態のときに、ユーザが離れた状態を検出するとともに、ユーザが当該原稿読取装置から離れてから所定時間経過した場合に、原稿を排紙するようにしてもよい。このように構成することで、原稿給紙可能状態においても使用者不在の原稿を原稿トレイ２４０上に放置することを防止して原稿の紛失や情報の漏洩を防止することができる。
【０１６４】
なお、上述した実施形態では、原稿トレイ２４０上に載置された原稿を取り除く場合は、原稿トレイ２４０上に載置された状態、または、原稿給紙可能状態を解除した状態で取り除くようにしているが、例えば、原稿給紙可能状態から原稿を取り除くことで、原稿給紙可能状態が解除されるように構成したものであってもよい。このように構成することで、緊急時に即刻原稿を取り除く必要があった場合等で、原稿を取り除いた後に、再び原稿を載置可能な状態にすることができる。
【０１６５】
なお、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１６６】
１００  画像形成装置
１２０  操作ユニット
１３０  タッチパネルディスプレイ
１５１  第１の操作ボタン
１５２  第２の操作ボタン
２００，７００，８００，９００  原稿読取装置
２１０  スキャナ部
２２０  自動原稿処理装置
２４０  原稿トレイ
２４１  原稿トレイ移動部
２５０  給紙部
２５３  ピックアップローラ
２６０  排紙部
２６２  原稿排紙ローラ
２６５  排紙トレイ
２８０  制御部
７７０  発光部
７８０，８８０，９８０  制御部
８９０  人感センサ
【図１】
2019186893.tif 000003
【図２】
2019186893.tif 000004
【図３】
2019186893.tif 000005
【図４】
2019186893.tif 000006
【図５】
2019186893.tif 000007
【図６】
2019186893.tif 000008
【図７】
2019186893.tif 000009
【図８】
2019186893.tif 000010
【図９】
2019186893.tif 000011
【図１０】
2019186893.tif 000012
【図１１】
2019186893.tif 000013
【図１２】
2019186893.tif 000014
【図１３】
2019186893.tif 000015
【図１４】
2019186893.tif 000016
【図１５】
2019186893.tif 000017